(57)【要約】【課題】  メモリカードアダプタの提供。【解決手段】  第１スロット、第２スロット、第３スロットにより複数のメモリカードを挿入でき、共用インタフェース回路により第１スロット、第２スロット、第３スロットに挿入されたメモリカードと電気的に接続され、そのうち第２スロットと第３スロットは第１スロットの上或いは下に並列配置される。【選択図】        図１
0003108564.tif 000002
【実用新案登録請求の範囲】
【請求項１】
メモリカードアダプタにおいて、
インタフェース回路と複数種類の第１メモリカードとの電気的接続のインタフェースとされる複数の第１端子セットを具え、各第１端子セットは複数の第１端子を具えている、第１スロットと、
インタフェース回路と複数種類の第２メモリカードとの電気的接続のインタフェースとされる複数の第２端子セットを具え、各第２端子セットは複数の第２端子を具えている、第２スロットと、
インタフェース回路と複数種類の第３メモリカードとの電気的接続のインタフェースとされる複数の第３端子セットを具え、各第３端子セットは複数の第３端子を具えている、第３スロットと、
該第１スロット、第２スロット、第３スロットを収容する座体と、
該座体との結合により該第１スロット、第２スロット、第３スロットを構成すると共に、第１メモリカード、第２メモリカード、第３メモリカードが該インタフェース回路を共用できるようにする分隔部と、
を具えたことを特徴とする、メモリカードアダプタ。
【請求項２】
請求項１記載のメモリカードアダプタにおいて、第２スロットと第３スロットが第１スロットの下に並列配置されたことを特徴とする、メモリカードアダプタ。
【請求項３】
請求項１記載のメモリカードアダプタにおいて、第１スロットの両側にガイドレール又はガイド溝が設けられたことを特徴とする、メモリカードアダプタ。
【請求項４】
請求項１記載のメモリカードアダプタにおいて、第２スロットの両側にガイドレール又はガイド溝が設けられたことを特徴とする、メモリカードアダプタ。
【請求項５】
請求項１記載のメモリカードアダプタにおいて、第３スロットの両側にガイドレール又はガイド溝が設けられたことを特徴とする、メモリカードアダプタ。
【請求項６】
請求項４記載のメモリカードアダプタにおいて、ガイドレール又はガイド溝に接地回路が設けられ、接地回路は座体両側に配置された接地片との電気的に接続を介して外部接地回路と電気的に接続されたことを特徴とする、メモリカードアダプタ。
【請求項７】
請求項１記載のメモリカードアダプタにおいて、第１メモリカードの規格は、ＣＦ（登録商標）Ｉカード、ＣＦ（登録商標）IIカード、ＩＢＭ  Ｍｉｃｒｏｄｒｉｖｅを包含することを特徴とする、メモリカードアダプタ。
【請求項８】
請求項１記載のメモリカードアダプタにおいて、第２メモリカードの規格は、ＳＤカード、ＭＭＣカード、ＭＳカード、ＭＳ  Ｐｒｏカード、及びＸＤカードを包含することを特徴とする、メモリカードアダプタ。
【請求項９】
請求項１記載のメモリカードアダプタにおいて、第３メモリカードの規格は、ＭＳ  ＤＵＯカード、ＲＳ  ＭＭＳ（Ｒｅｄｕｃｅｄ  Ｓｉｚｅ  ＭｕｌｔｉＭｅｄｉａ  Ｃａｒｄ）を包含することを特徴とする、メモリカードアダプタ。
【考案の詳細な説明】
【技術分野】
【０００１】
本考案はメモリカードアダプタに係り、特に少ない空間で多種類のメモリカードの使用に供されるメモリカードアダプタに関する。
【背景技術】
【０００２】
メモリカードの規格が違うとサイズが異なり、並びにそのコネクタも異なる。このため使用上及び携帯上の便利性を考慮し、メモリカードアダプタの設計があり、一つのメモリカード共用スロットにより多種類の異なる規格のメモリカードを使用できるものとされている。
【０００３】
周知のメモリカードアダプタは、一つのスロットを多種類の異なるメモリカードで共用し、それは異なるガイドレール或いはガイド溝により異なる種類のメモリカードのスロット中での位置を制限し、これにより異なる端子セットと電気的に接合してインタフェース回路に接続し、これにより時には異なる種類のメモリカードを収容してインタフェースカードを共用する。特許文献１記載のメモリカードアダプタは、四種類の異なるメモリカードに一つのスロットを共用させているが、最多で同時に二種類の異なるメモリカードによるインタフェース回路の共用が許容されている。
【０００４】
上述のメモリカードアダプタは四種類の異なる規格のメモリカードを挿入でき、並びに最多で同時に二種類のメモリカードを収容して同時に使用できる。しかし現在メモリカードの種類は非常に多くなっている。これにより設計上、最小の空間で最多種類のメモリカードを使用できるようにし、並びに更に多くのメモリカードの同時使用を可能とすることで実際の要求に符合するものとなる。
【０００５】
【特許文献１】台湾特許公告第４９５１１０号明細書
【考案の開示】
【考案が解決しようとする課題】
【０００６】
本考案の目的は、三種類の異なるメモリカードを挿入できるメモリカードアダプタを提供することにある。
【０００７】
本考案の別の目的は、多種類の異なる規格のメモリカードを挿入できる共用インタフェース回路を具えたメモリカードアダプタを提供することにある。
【０００８】
このため、本考案の提供するメモリカードアダプタは、第１スロット、第２スロット、第３スロットにより複数のメモリカードを挿入でき、共用インタフェース回路により第１スロット、第２スロット、第３スロットに挿入されたメモリカードと電気的に接続され、そのうち第２スロットと第３スロットは第１スロットの上或いは下に並列配置される。
【課題を解決するための手段】
【０００９】
請求項１の考案は、メモリカードアダプタにおいて、
インタフェース回路と複数種類の第１メモリカードとの電気的接続のインタフェースとされる複数の第１端子セットを具え、各第１端子セットは複数の第１端子を具えている、第１スロットと、
インタフェース回路と複数種類の第２メモリカードとの電気的接続のインタフェースとされる複数の第２端子セットを具え、各第２端子セットは複数の第２端子を具えている、第２スロットと、
インタフェース回路と複数種類の第３メモリカードとの電気的接続のインタフェースとされる複数の第３端子セットを具え、各第３端子セットは複数の第３端子を具えている、第３スロットと、
該第１スロット、第２スロット、第３スロットを収容する座体と、
該座体との結合により該第１スロット、第２スロット、第３スロットを構成すると共に、第１メモリカード、第２メモリカード、第３メモリカードが該インタフェース回路を共用できるようにする分隔部と、
を具えたことを特徴とする、メモリカードアダプタとしている。
請求項２の考案は、請求項１記載のメモリカードアダプタにおいて、第２スロットと第３スロットが第１スロットの下に並列配置されたことを特徴とする、メモリカードアダプタとしている。
請求項３の考案は、請求項１記載のメモリカードアダプタにおいて、第１スロットの両側にガイドレール又はガイド溝が設けられたことを特徴とする、メモリカードアダプタとしている。
請求項４の考案は、請求項１記載のメモリカードアダプタにおいて、第２スロットの両側にガイドレール又はガイド溝が設けられたことを特徴とする、メモリカードアダプタとしている。
請求項５の考案は、請求項１記載のメモリカードアダプタにおいて、第３スロットの両側にガイドレール又はガイド溝が設けられたことを特徴とする、メモリカードアダプタとしている。
請求項６の考案は、請求項４記載のメモリカードアダプタにおいて、ガイドレール又はガイド溝に接地回路が設けられ、接地回路は座体両側に配置された接地片との電気的に接続を介して外部接地回路と電気的に接続されたことを特徴とする、メモリカードアダプタとしている。
請求項７の考案は、請求項１記載のメモリカードアダプタにおいて、第１メモリカードの規格は、ＣＦ（登録商標）Ｉカード、ＣＦ（登録商標）IIカード、ＩＢＭ  Ｍｉｃｒｏｄｒｉｖｅを包含することを特徴とする、メモリカードアダプタとしている。
請求項８の考案は、請求項１記載のメモリカードアダプタにおいて、第２メモリカードの規格は、ＳＤカード、ＭＭＣカード、ＭＳカード、ＭＳ  Ｐｒｏカード、及びＸＤカードを包含することを特徴とする、メモリカードアダプタとしている。
請求項９の考案は、請求項１記載のメモリカードアダプタにおいて、第３メモリカードの規格は、ＭＳ  ＤＵＯカード、ＲＳ  ＭＭＣ（Ｒｅｄｕｃｅｄ  Ｓｉｚｅ  ＭｕｌｔｉＭｅｄｉａ  Ｃａｒｄ）を包含することを特徴とする、メモリカードアダプタとしている。
【考案の効果】
【００１０】
本考案は大きなスロットにより大きなサイズのメモリカードを挿入することができ、二つの並列するスロットにより他の規格のメモリカードを挿入でき、三つのスロットにより小さい空間で複数のメモリカードの挿入が行なえ、並びに三つのスロットが同時に三種類の異なる規格のメモリカードの使用に供される。
【考案を実施するための最良の形態】
【００１１】
以下の説明は本考案の範囲を制限するものではなく、本考案に基づきなしうる細部の修飾或いは改変は、いずれも本考案の請求範囲に属するものとする。
【００１２】
図１に示されるように、本考案は座体２０と分隔部３０を具え、座体２０と分隔部３０が組み合わされて、第１スロット１２、第２スロット１４、第３スロット１６を構成する。そのうち、第２スロット１４と第３スロット１６は第１スロット１２に並列に設けられるか、或いは第２スロット１４と第３スロット１６は左右に配置され、本考案はこれに制限を加えない。
【００１３】
図１に示されるように、第１スロット１２は分隔部３０の上方と座体２０に囲まれてなり、複数の第１端子セット２２を具え、各第１端子セット２２は複数の第１端子を具えて第１メモリカード挿入時にインタフェース回路（図示せず）との電気的接続を提供する。即ち、第１スロット１２は複数種類の第１メモリカードを挿入できるものとされ、例えば図３に示されるように、第１メモリカードの規格は、ＣＦ（登録商標）Ｉカード４１、ＣＦ（登録商標）IIカード４２、ＩＢＭ  Ｍｉｃｒｏｄｒｉｖｅ４３を包含し、各メモリカードは一組の第１端子セット２２に対応する。そのうち、第１メモリカードが挿入される時、第１メモリカードはそれが対応する第１端子セット２２によりインタフェース回路に電気的に接続される。
【００１４】
第２スロット１４と第３スロット１６は分隔部３０の下方と座体２０に囲まれて構成され、即ち、分隔部３０はＴ形の外形とされ、図２に示されるようであり、横板３２と縦板３４で構成され、横板３２の上方に第１スロット１２が位置し、第２スロット１４と第３スロット１６は横板３２下方の縦板３４の両側に位置する。
【００１５】
第２スロット１４は複数の第２端子セット２４を具え、各第２端子セット２４は複数の第２端子を具え、第２メモリカード挿入時のインタフェース回路との電気的接続を提供する。即ち、第２スロット１４は複数種類の第２メモリカードの挿入に供され、例えば、第２メモリカードの規格は、ＳＤカード４４、ＭＭＣカード４５、ＭＳカード４６、ＭＳ
Ｐｒｏカード４７、及びＸＤカード４８を包含し、各第２メモリカードはそれぞれ一組の第２端子セット２４に対応し、そのうち一種類の第２メモリカードが挿入される時、第２メモリカードはその対応する第２端子セット２４によりインタフェース回路に電気的に接続される。
【００１６】
同様に第３スロット１６は複数の第３端子セット２６を具え、各第３端子セット２６は複数の第３端子を具え、第３メモリカード挿入時のインタフェース回路との電気的接続を提供する。即ち、第３スロット１６は複数種類の第３メモリカードの挿入に供され、例えば、第３メモリカードの規格は、ＭＳ  ＤＵＯカード４９、ＲＳ  ＭＭＣ（Ｒｅｄｕｃｅｄ  Ｓｉｚｅ  ＭｕｌｔｉＭｅｄｉａ  Ｃａｒｄ）５０を包含し、各第３メモリカードはそれぞれ一組の第３端子セット２６に対応し、そのうち一種類の第３メモリカードが挿入される時、第３メモリカードはその対応する第３端子セット２６によりインタフェース回路に電気的に接続される。
【００１７】
これにより、本考案は少なくとも十種類の異なる規格のメモリカードの挿入が行なえ、並びに三種類の異なるメモリカードの同時挿入が行なえ、インタフェース回路との電気的接続により挿入されたメモリカードを同時使用できる。
【００１８】
このほか、各スロット（第１スロット１２、第２スロット１４、第３スロット１６）は異なる種類のメモリカードの固定のためにスロットの両側にガイドレール／ガイド溝を設置可能である。このほか、ガイドレール或いはガイド溝に更に接地回路２８１を設置可能で、並びに座体両側に接地片２８２を設置し、接地回路２８１と接地片２８２が電気的に接続され、接地片２８２により外部接地回路と電気的に接続され、例えば第２スロットの両側のガイドレール／ガイド溝に一つの接地片２８２が設置されることにより、電磁干渉を減らすことができる。接地回路２８１は金属の鉄片、コンタクトパッド（ｐａｄ／ｐｉｎ）、弾性バネ片或いはその他の類似の装置を形成或いは付加可能で、本実施例では接地回路２８１の外形に対して制限を加えない。
【図面の簡単な説明】
【００１９】
【図１】本考案の実施例表示図である。
【図２】本考案の実施例の分解図である。
【図３】本考案の実施例の応用表示図である。
【符号の説明】
【００２０】
１０  メモリカードアダプタ
１２  第１スロット
１４  第２スロット
１６  第３スロット
２０  座体
２２  第１端子セット
２４  第２端子セット
２６  第３端子セット
２８１  接地回路
２８２  接地片
３０  分隔部
３２  横板
３４  縦板
４１  ＣＦ（登録商標）Ｉカード
４２  ＣＦ（登録商標）IIカード
４３  ＩＢＭ  Ｍｉｃｒｏｄｒｉｖｅカード
４４  ＳＤカード
４５  ＭＭＣカード
４６  ＭＳカード
４７  ＭＳ  Ｐｒｏカード
４８  ＸＤカード
４９  ＭＳ  ＤＵＯカード
５０  ＲＳ  ＭＭＣカード
【図１】
0003108564.tif 000003
【図２】
0003108564.tif 000004
【図３】
0003108564.tif 000005
【手続補正書】
【提出日】平成16年12月13日(2004.12.13)
【手続補正１】
【補正対象書類名】実用新案登録請求の範囲
【補正対象項目名】全文
【補正方法】変更
【補正の内容】
【実用新案登録請求の範囲】
【請求項１】
メモリカードアダプタにおいて、
インタフェース回路と複数種類の第１メモリカードとの電気的接続のインタフェースとされる複数の第１端子セットを具え、各第１端子セットは複数の第１端子を具えている、第１スロットと、
インタフェース回路と複数種類の第２メモリカードとの電気的接続のインタフェースとされる複数の第２端子セットを具え、各第２端子セットは複数の第２端子を具えている、第２スロットと、
インタフェース回路と複数種類の第３メモリカードとの電気的接続のインタフェースとされる複数の第３端子セットを具え、各第３端子セットは複数の第３端子を具えている、第３スロットと、
該第１スロット、第２スロット、第３スロットを収容する座体と、
該座体との結合により該第１スロット、第２スロット、第３スロットを構成すると共に、第１メモリカード、第２メモリカード、第３メモリカードが該インタフェース回路を共用できるようにする分隔部と、
を具えたことを特徴とする、メモリカードアダプタ。
【請求項２】
請求項１記載のメモリカードアダプタにおいて、第２スロットと第３スロットが第１スロットの下に並列配置されたことを特徴とする、メモリカードアダプタ。
【請求項３】
請求項１記載のメモリカードアダプタにおいて、第１スロットの両側にガイドレール又はガイド溝が設けられたことを特徴とする、メモリカードアダプタ。
【請求項４】
請求項１記載のメモリカードアダプタにおいて、第２スロットの両側にガイドレール又はガイド溝が設けられたことを特徴とする、メモリカードアダプタ。
【請求項５】
請求項１記載のメモリカードアダプタにおいて、第３スロットの両側にガイドレール又はガイド溝が設けられたことを特徴とする、メモリカードアダプタ。
【請求項６】
請求項４記載のメモリカードアダプタにおいて、ガイドレール又はガイド溝に接地回路が設けられ、接地回路は座体両側に配置された接地片との電気的に接続を介して外部接地回路と電気的に接続されたことを特徴とする、メモリカードアダプタ。
【請求項７】
請求項１記載のメモリカードアダプタにおいて、第１メモリカードの規格は、ＣＦ（登録商標）Ｉカード、ＣＦ（登録商標）IIカード、ＩＢＭ（登録商標）  Ｍｉｃｒｏｄｒｉｖｅ（登録商標）を包含することを特徴とする、メモリカードアダプタ。
【請求項８】
請求項１記載のメモリカードアダプタにおいて、第２メモリカードの規格は、ＳＤカード、ＭＭＣカード、ＭＳカード、ＭＳ  Ｐｒｏカード、及びＸＤ（登録商標）カードを包含することを特徴とする、メモリカードアダプタ。
【請求項９】
請求項１記載のメモリカードアダプタにおいて、第３メモリカードの規格は、ＭＳ  ＤＵＯカード、ＲＳ  ＭＭＳ（Ｒｅｄｕｃｅｄ  Ｓｉｚｅ  ＭｕｌｔｉＭｅｄｉａ  Ｃａｒｄ）を包含することを特徴とする、メモリカードアダプタ。
【手続補正２】
【補正対象書類名】明細書
【補正対象項目名】全文
【補正方法】変更
【補正の内容】
【考案の詳細な説明】
【技術分野】
【０００１】
本考案はメモリカードアダプタに係り、特に少ない空間で多種類のメモリカードの使用に供されるメモリカードアダプタに関する。
【背景技術】
【０００２】
メモリカードの規格が違うとサイズが異なり、並びにそのコネクタも異なる。このため使用上及び携帯上の便利性を考慮し、メモリカードアダプタの設計があり、一つのメモリカード共用スロットにより多種類の異なる規格のメモリカードを使用できるものとされている。
【０００３】
周知のメモリカードアダプタは、一つのスロットを多種類の異なるメモリカードで共用し、それは異なるガイドレール或いはガイド溝により異なる種類のメモリカードのスロット中での位置を制限し、これにより異なる端子セットと電気的に接合してインタフェース回路に接続し、これにより時には異なる種類のメモリカードを収容してインタフェースカードを共用する。特許文献１記載のメモリカードアダプタは、四種類の異なるメモリカードに一つのスロットを共用させているが、最多で同時に二種類の異なるメモリカードによるインタフェース回路の共用が許容されている。
【０００４】
上述のメモリカードアダプタは四種類の異なる規格のメモリカードを挿入でき、並びに最多で同時に二種類のメモリカードを収容して同時に使用できる。しかし現在メモリカードの種類は非常に多くなっている。これにより設計上、最小の空間で最多種類のメモリカードを使用できるようにし、並びに更に多くのメモリカードの同時使用を可能とすることで実際の要求に符合するものとなる。
【０００５】
【特許文献１】台湾特許公告第４９５１１０号明細書
【考案の開示】
【考案が解決しようとする課題】
【０００６】
本考案の目的は、三種類の異なるメモリカードを挿入できるメモリカードアダプタを提供することにある。
【０００７】
本考案の別の目的は、多種類の異なる規格のメモリカードを挿入できる共用インタフェース回路を具えたメモリカードアダプタを提供することにある。
【０００８】
このため、本考案の提供するメモリカードアダプタは、第１スロット、第２スロット、第３スロットにより複数のメモリカードを挿入でき、共用インタフェース回路により第１スロット、第２スロット、第３スロットに挿入されたメモリカードと電気的に接続され、そのうち第２スロットと第３スロットは第１スロットの上或いは下に並列配置される。
【課題を解決するための手段】
【０００９】
請求項１の考案は、メモリカードアダプタにおいて、
インタフェース回路と複数種類の第１メモリカードとの電気的接続のインタフェースとされる複数の第１端子セットを具え、各第１端子セットは複数の第１端子を具えている、第１スロットと、
インタフェース回路と複数種類の第２メモリカードとの電気的接続のインタフェースとされる複数の第２端子セットを具え、各第２端子セットは複数の第２端子を具えている、第２スロットと、
インタフェース回路と複数種類の第３メモリカードとの電気的接続のインタフェースとされる複数の第３端子セットを具え、各第３端子セットは複数の第３端子を具えている、第３スロットと、
該第１スロット、第２スロット、第３スロットを収容する座体と、
該座体との結合により該第１スロット、第２スロット、第３スロットを構成すると共に、第１メモリカード、第２メモリカード、第３メモリカードが該インタフェース回路を共用できるようにする分隔部と、
を具えたことを特徴とする、メモリカードアダプタとしている。
請求項２の考案は、請求項１記載のメモリカードアダプタにおいて、第２スロットと第３スロットが第１スロットの下に並列配置されたことを特徴とする、メモリカードアダプタとしている。
請求項３の考案は、請求項１記載のメモリカードアダプタにおいて、第１スロットの両側にガイドレール又はガイド溝が設けられたことを特徴とする、メモリカードアダプタとしている。
請求項４の考案は、請求項１記載のメモリカードアダプタにおいて、第２スロットの両側にガイドレール又はガイド溝が設けられたことを特徴とする、メモリカードアダプタとしている。
請求項５の考案は、請求項１記載のメモリカードアダプタにおいて、第３スロットの両側にガイドレール又はガイド溝が設けられたことを特徴とする、メモリカードアダプタとしている。
請求項６の考案は、請求項４記載のメモリカードアダプタにおいて、ガイドレール又はガイド溝に接地回路が設けられ、接地回路は座体両側に配置された接地片との電気的に接続を介して外部接地回路と電気的に接続されたことを特徴とする、メモリカードアダプタとしている。
請求項７の考案は、請求項１記載のメモリカードアダプタにおいて、第１メモリカードの規格は、ＣＦ（登録商標）Ｉカード、ＣＦ（登録商標）IIカード、ＩＢＭ（登録商標）  Ｍｉｃｒｏｄｒｉｖｅ（登録商標）を包含することを特徴とする、メモリカードアダプタとしている。
請求項８の考案は、請求項１記載のメモリカードアダプタにおいて、第２メモリカードの規格は、ＳＤカード、ＭＭＣカード、ＭＳカード、ＭＳ  Ｐｒｏカード、及びＸＤ（登録商標）カードを包含することを特徴とする、メモリカードアダプタとしている。
請求項９の考案は、請求項１記載のメモリカードアダプタにおいて、第３メモリカードの規格は、ＭＳ  ＤＵＯカード、ＲＳ  ＭＭＳ（Ｒｅｄｕｃｅｄ  Ｓｉｚｅ  ＭｕｌｔｉＭｅｄｉａ  Ｃａｒｄ）を包含することを特徴とする、メモリカードアダプタとしている。
【考案の効果】
【００１０】
本考案は大きなスロットにより大きなサイズのメモリカードを挿入することができ、二つの並列するスロットにより他の規格のメモリカードを挿入でき、三つのスロットにより小さい空間で複数のメモリカードの挿入が行なえ、並びに三つのスロットが同時に三種類の異なる規格のメモリカードの使用に供される。
【考案を実施するための最良の形態】
【００１１】
以下の説明は本考案の範囲を制限するものではなく、本考案に基づきなしうる細部の修飾或いは改変は、いずれも本考案の請求範囲に属するものとする。
【００１２】
図１に示されるように、本考案は座体２０と分隔部３０を具え、座体２０と分隔部３０が組み合わされて、第１スロット１２、第２スロット１４、第３スロット１６を構成する。そのうち、第２スロット１４と第３スロット１６は第１スロット１２に並列に設けられるか、或いは第２スロット１４と第３スロット１６は左右に配置され、本考案はこれに制限を加えない。
【００１３】
図１に示されるように、第１スロット１２は分隔部３０の上方と座体２０に囲まれてなり、複数の第１端子セット２２を具え、各第１端子セット２２は複数の第１端子を具えて第１メモリカード挿入時にインタフェース回路（図示せず）との電気的接続を提供する。即ち、第１スロット１２は複数種類の第１メモリカードを挿入できるものとされ、例えば図３に示されるように、第１メモリカードの規格は、ＣＦ（登録商標）Ｉカード４１、ＣＦ（登録商標）IIカード４２、ＩＢＭ（登録商標）Ｍｉｃｒｏｄｒｉｖｅ（登録商標）４３を包含し、各メモリカードは一組の第１端子セット２２に対応する。そのうち、第１メモリカードが挿入される時、第１メモリカードはそれが対応する第１端子セット２２によりインタフェース回路に電気的に接続される。
【００１４】
第２スロット１４と第３スロット１６は分隔部３０の下方と座体２０に囲まれて構成され、即ち、分隔部３０はＴ形の外形とされ、図２に示されるようであり、横板３２と縦板３４で構成され、横板３２の上方に第１スロット１２が位置し、第２スロット１４と第３スロット１６は横板３２下方の縦板３４の両側に位置する。
【００１５】
第２スロット１４は複数の第２端子セット２４を具え、各第２端子セット２４は複数の第２端子を具え、第２メモリカード挿入時のインタフェース回路との電気的接続を提供する。即ち、第２スロット１４は複数種類の第２メモリカードの挿入に供され、例えば、第２メモリカードの規格は、ＳＤカード４４、ＭＭＣカード４５、ＭＳカード４６、ＭＳ
Ｐｒｏカード４７、及びＸＤ（登録商標）カード４８を包含し、各第２メモリカードはそれぞれ一組の第２端子セット２４に対応し、そのうち一種類の第２メモリカードが挿入される時、第２メモリカードはその対応する第２端子セット２４によりインタフェース回路に電気的に接続される。
【００１６】
同様に第３スロット１６は複数の第３端子セット２６を具え、各第３端子セット２６は複数の第３端子を具え、第３メモリカード挿入時のインタフェース回路との電気的接続を提供する。即ち、第３スロット１６は複数種類の第３メモリカードの挿入に供され、例えば、第３メモリカードの規格は、ＭＳ  ＤＵＯカード４９、ＲＳ  ＭＭＳ（Ｒｅｄｕｃｅｄ  Ｓｉｚｅ  ＭｕｌｔｉＭｅｄｉａ  Ｃａｒｄ）５０を包含し、各第３メモリカードはそれぞれ一組の第３端子セット２６に対応し、そのうち一種類の第３メモリカードが挿入される時、第３メモリカードはその対応する第３端子セット２６によりインタフェース回路に電気的に接続される。
【００１７】
これにより、本考案は少なくとも十種類の異なる規格のメモリカードの挿入が行なえ、並びに三種類の異なるメモリカードの同時挿入が行なえ、インタフェース回路との電気的接続により挿入されたメモリカードを同時使用できる。
【００１８】
このほか、各スロット（第１スロット１２、第２スロット１４、第３スロット１６）は異なる種類のメモリカードの固定のためにスロットの両側にガイドレール／ガイド溝を設置可能である。このほか、ガイドレール或いはガイド溝に更に接地回路２８１を設置可能で、並びに座体両側に接地片２８２を設置し、接地回路２８１と接地片２８２が電気的に接続され、接地片２８２により外部接地回路と電気的に接続され、例えば第２スロットの両側のガイドレール／ガイド溝に一つの接地片２８２が設置されることにより、電磁干渉を減らすことができる。接地回路２８１は金属の鉄片、コンタクトパッド（ｐａｄ／ｐｉｎ）、弾性バネ片或いはその他の類似の装置を形成或いは付加可能で、本実施例では接地回路２８１の外形に対して制限を加えない。
【図面の簡単な説明】
【００１９】
【図１】本考案の実施例表示図である。
【図２】本考案の実施例の分解図である。
【図３】本考案の実施例の応用表示図である。
【符号の説明】
【００２０】
１０  メモリカードアダプタ
１２  第１スロット
１４  第２スロット
１６  第３スロット
２０  座体
２２  第１端子セット
２４  第２端子セット
２６  第３端子セット
２８１  接地回路
２８２  接地片
３０  分隔部
３２  横板
３４  縦板
４１  ＣＦ（登録商標）Ｉカード
４２  ＣＦ（登録商標）IIカード
４３  ＩＢＭ（登録商標）  Ｍｉｃｒｏｄｒｉｖｅ（登録商標）カード
４４  ＳＤカード
４５  ＭＭＣカード
４６  ＭＳカード
４７  ＭＳ  Ｐｒｏカード
４８  ＸＤ（登録商標）カード
４９  ＭＳ  ＤＵＯカード
５０  ＲＳ  ＭＭＣカード